(57)【要約】【課題】スリッター下刃軸を必要とせず、スリットする、しないを自由に選択でき、したがって、切断パターンを使用者が用途に応じて使い分けできるカード裁断機のスリッター機構を提供する。【解決手段】スリッター１４が回転自在な上刃軸１８を備えるとともに、上刃軸１８に複数個のディスク状上刃１９が上刃軸１８の回転にしたがって回転自在に固定され、かつディスク状上刃１９の各々にはディスク状下刃２０が周縁２１同志を互いに摺り合わせて対を形成するように固定され、さらには下刃２０が上刃１９に対して揺動自在に固定される。【選択図】図２
2013129001.tif 000002
【特許請求の範囲】
【請求項１】
カード用紙を複数枚、積層して保持するカード用紙保持箱と、この保持箱に保持されたカード用紙を頂部から一枚づつ送り出すピックアップローラと、該ピックアップローラによって送り出されたカード用紙を搬送する搬送ローラと、前記搬送ローラによって搬送されたカード用紙をカードの形状に裁断する裁断部とを備え、前記裁断部がカード用紙を横方向に裁断するカッターと、その後に続く縦方向に裁断するスリッターとを有してなるカード裁断機において、前記スリッターが回転自在な上刃軸を備えるとともに、該上刃軸に複数個のディスク状上刃が上刃軸の回転に従って回転自在に固定され、かつ前記ディスク状上刃の各々にはディスク状下刃が周縁同志を互いに摺り合わせて対を形成するように固定され、さらには下刃が上刃に対して揺動自在に固定されることを特徴とするカード裁断機のスリッター機構。
【請求項２】
ディスク状下刃はディスク状上刃にナイフホルダーのバネ力によって押圧され、かつ、バネ力よりも大きな力によって揺動される請求項１に記載されるカード裁断機のスリッター機構。
【発明の詳細な説明】
【技術分野】
【０００１】
本発明は名刺、種々の会員カード、病院等の診察カード等、各種カードを製作する際に用いられるカード裁断機のスリッター機構に係り、詳細には、卓上文書印刷機等により一シート上に複数葉のカードが印刷または印字されたカード用紙を所望のカードサイズに裁断して一葉づつ切り離してカードを製作するカード裁断機のスリッター機構に係り、特に従来のようなスリッター下刃軸を必要とせず、スリットする、しないを自由に選択でき、したがって切断パターンを使用者が用途に応じて使い分けできるカード裁断機のスリッター機構に関する。
【背景技術】
【０００２】
この種のカード裁断機は通常、卓上文書印刷機等により一シート上に複数葉のカードが印刷または印字されたカード用紙を複数枚積層して保持するカード用紙保持箱と、この保持箱に保持されたカード用紙を頂部から一枚づつカード裁断機に送り出すピックアップローラと、このピックアップローラによって送り出されたカード用紙を搬送する搬送ローラと、この搬送によって搬送されたカード用紙をカードの形状に裁断するスリッターあるいはさらにカッターを含む裁断部とを備えて構成される。
【０００３】
上述カード裁断機におけるスリッターは例えば図４に示されるように、互いに逆方向に回転する上刃軸１００および下刃軸１０１を備え、上刃軸１００に複数固のディスク状上刃１０２を、これら各軸１００、１０１を回転軸として所定の間隔をあけ、かつ上下刃１０２、１０３同志が互いに対応して複数組の対を形成し、これら各対の上下刃１０２、１０３の周縁１０４同志が互いに摺り合うように固定する。
【０００４】
しかし、上述の公知スリッターでは、スリッター下刃軸を必要とし、かつスリットする、しないを自由に選択できず、したがって、切断パターンを使用者が用途に応じて使い分けすることができなかった。
【０００５】
さらに上述の公知スリッターでは、図１におけるカード用紙４の搬送を一時停止したときに、スリッターが停止しないため、カード用紙４へのスリッター、すわち、上下刃１０２、１０３あるいは上下搬送ローラ１０５、１０６による摺りを起させ、カード用紙４に傷を付けてしまう。１０７、１０８は歯車である。
【先行技術文献】
【特許文献】
【０００６】
【特許文献１】特許第３６９１６０９号公報
【発明の概要】
【発明が解決しようとする課題】
【０００７】
そこで、本発明の目的は従来のような下刃軸を必要とせず、さらにスリットする、しないを自由に選択でき、したがって、切断パターンを使用者が用途に応じて使い分けでき、上述の公知技術に存する欠点を改良したカード裁断機のスリッター機構を提供することにある。
【課題を解決するための手段】
【０００８】
上述の課題を解決するため、本発明によれば、カード用紙を複数枚、積層して保持するカード用紙保持箱と、この保持箱に保持されたカード用紙を頂部から一枚づつ送り出すピックアップローラと、該ピックアップローラによって送り出されたカード用紙を搬送する搬送ローラと、前記搬送ローラによって搬送されたカード用紙をカードの形状に裁断する裁断部とを備え、前記裁断部がカード用紙を横方向に裁断するカッターと、その後に続く縦方向に裁断するスリッターとを有してなるカード裁断機において、前記スリッターが回転時自在な上刃軸を備えるとともに、該上刃軸に複数個のディスク状上刃が上刃軸の回転に従って回転自在に固定され、かつ前記ディスク状上刃の各々にはディスク状下刃が周縁同志を互いに摺り合わせて対を形成するように固定され、さらには下刃が上刃に対して揺動自在に固定されることを特徴とするカード裁断機のスリッター機構を提供することにある。
【発明の効果】
【０００９】
上述を構成とする本発明は従来のようなスリッター下刃軸を必要とせず、さらにスリットする、しないを自由に選択でき、したがって切断パターンを使用者が用途に応じて使い分けできるという効果を奏し得るものである。
【図面の簡単な説明】
【００１０】
【図１】図１は本発明カード裁断機の部分断面図である。
【図２】図２は本発明カード裁断機のスリッター部分の平面図である。
【図３】図３は本発明カード裁断機の主要部の原理を表した説明図である。
【図４】図４は従来のカード裁断機のスリッター部分を表した平面図である。
【発明を実施するための形態】
【００１１】
以下、本発明を添付図面を用いて詳述する。
【００１２】
まず、本発明にかかるカード裁断機について図１を用いて詳述する。図１中、１はカード用紙保持箱であって、本体２と、キャップ３とから構成され、この中にカード用紙４が複数枚積層して保持される。このカード用紙保持箱１は末端５がピックアップローラＡの下方に位置してカード用紙４の頂部６がピックアップローラＡに接触するように
カード裁断機Ｘに装着される。
【００１３】
ピックアップローラＡは矢印方向の回転による摩擦力により、接触する頂部６のカード用紙４を一枚づつカード裁断機Ｘの内部に送り出す円筒状のローラであって、プラスチック、硬質ゴム、軟質ゴム等の材料から製造される。
【００１４】
７は給紙ローラであって、矢印方向に回転され、ピックアップローラＡによって送り出された頂部６のカード用紙４をさらに後述の裁断部Ｙの方向に搬送して給紙する。
【００１５】
給紙ローラ７の下方には矢印方向に回転される重送防止ローラ８が配置され、ピックアップローラＡから誤って重送されてきたカード用紙４をチェックして重送を防止するものである。
【００１６】
９は第１の搬送ローラであって、上下に一対のローラからなり、それぞれ矢印方向に回転し、カード用紙４を上下に一対のローラ間に挟み込んでピックアップローラＡおよび給紙ローラ７によって送り出された頂部６のカード用紙４をさらに、後述の裁断部Ｙ方向に搬送する。
【００１７】
なお、本発明において、例えば名刺カードを作製するときのように余白を切り落とす場合には、第１の搬送ローラ９に加えて第２の搬送ローラ１０を、これら両搬送ローラ９、１０が後述するカッター１１を挟むようにカッター１１の入口部と出口部の両方に備えることが好ましい。しかし、はがきのように余白を切り落とす必要のない場合にはカッター１１の入口部の第１の搬送ローラ９のみで充分である。
【００１８】
１１は裁断部Ｙのカッターであって、上下一対の刃からなり、第１の搬送ローラ９によって搬送されたカード用紙４を一対のセンサ１２ａ、１２ｂの指示により横方向に裁断する。
【００１９】
カッター１１によって横方向に裁断されたカード用紙４は、さらに第２の搬送ローラ１０によって搬送され、一対のセンサ１３ａ、１３ｂの指示により裁断部Ｙのスリッター１４によって縦方向に裁断され、所望の大きさのカードを製造する。なお、カッター１１ならびにスリッター１４の裁断によって生じたきりくずは屑箱１５に収納される。図１中、１６は主モータ、１７はステップモータである。
【００２０】
図２は本発明にかかるスリッターの一具体例の平面図である。スリッター１４は回転自在な上刃軸１８を備えるとともに、上刃軸１８に複数個のディスク状上刃１９および上側搬送ローラ２３が上刃軸１８の回転に従って回転自在に固定される。２４は下側搬送ローラであって、上下のローラ２３、２４によって横方向に切断されたカード用紙４が搬送される。かつディスク状上刃１９の各々にはディスク状下刃２０が周縁２１同志を互いに摺り合わせて対を形成するように固定され、カード用紙４を縦方向に裁断する。
【００２１】
本発明は下刃２０が上刃１９に対して揺動自在に固定されることを特徴とする。図３に説明されるように、ディスク状下刃２０はディスク状上刃１９にナイフホルダー２２のバネ力Ｆによって押圧されて周縁２１同志が固定されてＯＮになり、かつバネ力よりも大きな力Ｇ（図２）によって周縁２１が離れ、ＯＦＦ状態になって揺動され、同時に下刃２０の回転が停止される。したがって、使用者はスリットする、しないを自由に選択でき、切断パターンを使用者が用途に応じて使い分けすることができる。
【００２２】
下側搬送ローラ２４は図２に示されるように隣接する２個のローラ２４、２４同志を連結し、かつ、上側搬送ローラ２３の回転にしたがって回転するように固定される。カード用紙４は上下の搬送ロ−ラ２３、２４によって搬送される。したがって、従来のようにスリッター下刃軸は不用である。
【産業上の利用可能性】
【００２３】
以上のとおり、本発明は従来のようなスリッター下刃軸を必要とせず、さらにディスク状上刃１９とディスク状下刃２０が揺動自在であって、使用者による重力Ｇの力を加えることによって両刃１９、２０はＯＦＦ状態となってスリットが停止され、スリットする、しないを自由に選択でき、したがって、切断パターンを使用者が用途に応じて使い分けでき、産業上利用性の高い発明である。
【符号の説明】
【００２４】
１  保持箱
２  本体
３  キャップ
４  カード用紙
５  末端  
Ａ  ピックアップ
６  頂部
Ｘ  カード裁断機
７  給紙ローラ
Ｙ  裁断部
８  重送防止ローラ
９  第１の搬送ローラ
１０  第２の搬送ローラ
１１  カッター
１２ａ、１２ｂ  センサ
１３ａ、１３ｂ  センサ
１４  スリッター
１５  屑箱
１６  主モータ
１７  スラップモータ
１８  上刃軸
１９  上刃
２０  下刃
２１  周縁
２２  ナイフホルダー
【図１】
2013129001.tif 000003
【図２】
2013129001.tif 000004
【図３】
2013129001.tif 000005
【図４】
2013129001.tif 000006
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
カード用紙を複数枚、積層して保持するカード用紙保持箱と、この保持箱に保持されたカード用紙を頂部から一枚づつ送り出すピックアップローラと、該ピックアップロ−ラによって送り出されたカード用紙を搬送する搬送ローラと、前記搬送ローラによって搬送されたカード用紙をカードの形状に裁断する裁断部とを備え、前記裁断部がカード用紙を横方向に裁断するカッターと、その後に続く縦方向に裁断するスリッターとを有してなるカード裁断機において、前記スリッターが回転自在な上刃軸を備えるとともに、該上刃軸に複数個のディスク状上刃が上刃軸の回転に従って回転自在に固定され、かつ前記ディスク状上刃の各々にはディスク状下刃が周縁同志を互いに摺り合わせて対を形成するように固定され、さらには下刃が上刃に対して揺動自在に固定されスリッター機能のＯＮ／ＯＦＦが可能であることを特徴とするカード裁断機のスリッター機構。
【請求項２】
ディスク状下刃はディスク状上刃にナイフホルダーのバネ力によって押圧され、かつ、バネ力よりも大きな力によって揺動される請求項１に記載されるカード裁断機のスリッター機構。
【手続補正２】
【補正対象書類名】明細書
【補正対象項目名】全文
【補正方法】変更
【補正の内容】
【発明の詳細な説明】
【技術分野】
【０００１】
本発明は名刺、種々の会員カード、病院等の診察カード等、各種カードを製作する際に用いられるカード裁断機のスリッター機構に係り、詳細には、卓上文書印刷機等により一シート上に複数葉のカードが印刷または印字されたカード用紙を所望のカードサイズに裁断して一葉づつ切り離してカードを製作するカード裁断機のスリッター機構に係り、特に従来のようなスリッター下刃を回転駆動するための下刃軸を装備せず、スリットする、しないを自由に選択でき、したがって切断パターンを使用者が用途に応じて使い分けできるカード裁断機のスリッター機構に関する。
【背景技術】
【０００２】
この種のカード裁断機は通常、卓上文書印刷機等により一シート上に複数葉のカードが印刷または印字されたカード用紙を複数枚積層して保持するカード用紙保持箱と、この保持箱に保持されたカード用紙を頂部から一枚づつカード裁断機に送り出すピックアップローラと、このピックアップローラによって送り出されたカード用紙を搬送する搬送ロ−ラと、この搬送によって搬送されたカード用紙をカードの形状に裁断するスリッターあるいはさらにカッターを含む裁断部とを備えて構成される。
【０００３】
上述カード裁断機におけるスリッターは例えば図４に示されるように、互いに逆方向に回転する上刃軸１００および下刃軸１０１を備え、上刃軸１００に複数個のディスク状上刃１０２を、これら各軸１００、１０１を回転軸として所定の間隔をあけ、かつ上下刃１０２、１０３同志が互いに対応して複数組の対を形成し、これら各対の上下刃１０２、１０３の周縁１０４同志が互いに摺り合うように固定する。１０７、１０８は歯車である。
【０００４】
しかし、上述の公知スリッターでは、スリッター下刃軸を必要とし、かつスリットする、しないを自由に選択できず、したがって、切断パターンを使用者が用途に応じて使い分けすることができなかった。
【先行技術文献】
【特許文献】
【０００５】
【特許文献１】特許第３６９１６０９号公報
【発明の概要】
【発明が解決しようとする課題】
【０００６】
そこで、本発明の目的は従来のような下刃軸を必要とせず、さらにスリットする、しないを自由に選択でき、したがって、切断パターンを使用者が用途に応じて使い分けでき、上述の公知技術に存する欠点を改良したカード裁断機のスリッター機構を提供することにある。
【課題を解決するための手段】
【０００７】
上述の課題を解決するため、本発明によれば、カード用紙を複数枚、積層して保持するカード用紙保持箱と、この保持箱に保持されたカード用紙を頂部から一枚づつ送り出すピックアップローラと、該ピックアップロ−ラによって送り出されたカード用紙を搬送する搬送ローラと、前記搬送ローラによって搬送されたカード用紙をカードの形状に裁断する裁断部とを備え、前記裁断部がカード用紙を横方向に裁断するカッターと、その後に続く縦方向に裁断するスリッターとを有してなるカード裁断機において、前記スリッターが回転自在な上刃軸を備えるとともに、該上刃軸に複数個のディスク状上刃が上刃軸の回転に従って回転自在に固定され、かつ前記ディスク状上刃の各々にはディスク状下刃が周縁同志を互いに摺り合わせて対を形成するように固定され、さらには下刃が上刃に対して揺動自在に固定され、下刃の揺動によってスリッター機能のＯＮ／ＯＦＦが可能であることを特徴とするカード裁断機のスリッター機構を提供することにある。
【発明の効果】
【０００８】
上述を構成とする本発明は従来のようなスリッター下刃軸を必要とせず、さらにスリットする、しないを自由に選択でき、したがって切断パターンを使用者が用途に応じて使い分けできるという効果を奏し得るものである。
【図面の簡単な説明】
【０００９】
【図１】図１は本発明カード裁断機の部分断面図である。
【図２】図２は本発明カード裁断機のスリッター部分の平面図である。
【図３】図３は本発明カード裁断機の主要部の原理を表した説明図である。
【図４】図４は従来のカード裁断機のスリッター部分を表した平面図である。
【発明を実施するための形態】
【００１０】
以下、本発明を添付図面を用いて詳述する。
【００１１】
まず、本発明にかかるカード裁断機について図１を用いて詳述する。図１中、１はカード用紙保持箱であって、本体２と、キャップ３とから構成され、この中にカード用紙４が複数枚積層して保持される。このカード用紙保持箱１は末端５がピックアップローラＡの下方に位置してカード用紙４の頂部６がピックアップローラＡに接触するようにカード裁断機Ｘに装着される。
【００１２】
ピックアップローラＡは矢印方向の回転による摩擦力により、接触する頂部６のカード用紙４を一枚づつカード裁断機Ｘの内部に送り出す円筒状のローラであって、プラスチック、硬質ゴム、軟質ゴム等の材料から製造される。
【００１３】
７は給紙ローラであって、矢印方向に回転され、ピックアップローラＡによって送り出された頂部６のカード用紙４をさらに後述の裁断部Ｙの方向に搬送して給紙する。
【００１４】
給紙ローラ７の下方には矢印方向に回転される重送防止ローラ８が配置され、ピックアップローラＡから誤って重送されてきたカード用紙４をチェックして重送を防止するものである。
【００１５】
９は第１の搬送ローラであって、上下に一対のローラからなり、それぞれ矢印方向に回転し、カード用紙４を上下に一対のローラ間に挟み込んでピックアップローラＡおよび給紙ローラ７によって送り出された頂部６のカード用紙４をさらに、後述の裁断部Ｙ方向に搬送する。
【００１６】
１１は裁断部Ｙのカッターであって、上下一対の刃からなり、第１の搬送ローラ９によって搬送されたカード用紙４を一対のセンサ１２ａ、１２ｂの指示により横方向に裁断する。
【００１７】
カッター１１によって横方向に裁断されたカード用紙４は、さらに第２の搬送ロ−ラ１０によって搬送され、一対のセンサ１３ａ、１３ｂの指示により裁断部Ｙのスリッター１４によって縦方向に裁断され、所望の大きさのカードを製造する。なお、カッター１１ならびにスリッター１４の裁断によって生じたきりくずは屑箱１５に収納される。図１中、１６は主モータ、１７はステップモータである。
【００１８】
図２は本発明にかかるスリッターの一具体例の平面図である。スリッター１４は回転自在な上刃軸１８を備えるとともに、上刃軸１８に複数個のデイスク状上刃１９および上側搬送ローラ２３が上刃軸１８の回転にしたがって回転自在に固定される。２４は下側搬送ローラであって、上下のローラ２３、２４によって横方向に切断されたカード用紙４が搬送される。かつディスク状上刃１９の各々にはディスク状下刃２０が周縁２１同志を互いに摺り合わせて対を形成するように固定され、カード用紙４を縦方向に裁断する。
【００１９】
本発明は下刃２０が上刃１９に対して揺動自在に固定されることを特徴とする。図３に説明されるように、ディスク状下刃２０はディスク状上刃１９にナイフホルダー２２のバネ力Ｆによって押圧されて周縁２１同志が固定されてＯＮになり、かつバネ力よりもおおきな力Ｇ（図２）によって周縁２１が離れ、ＯＦＦ状態になって揺動され、同時に下刃２０の回転が停止される。したがて、使用者はスリットする、しないを自由に選択でき、切断パターンを使用者が用途に応じて使い分けすることができる。
【００２０】
下側搬送ローラ２４は図２に示されるように隣接する２個のローラ２４、２４同志を連結し、かつ、上側搬送ローラ２３の回転にしたがって回転するように固定される。カード用紙４は上下の搬送ローラ２３、２４によって搬送される。したがって、従来のように、搬送を目的としたスリッター下刃軸は不要である。
【産業上の利用可能性】
【００２１】
以上のとおり、本発明は従来のようなスリッター下刃軸を装備せず、さらにディスク状上刃１９とディスク状下刃２０が揺動自在であって、使用者により重力Ｇの力を加えることによって両刃１９、２０はＯＦＦ状態となってスリットが停止され、スリットする、しないを自由に選択でき、したがって、切断パターンを使用者が用途に応じて使い分けでき、産業上利用性の高い発明である。
【符号の説明】
【００２２】
１  保持箱
２  本体
３  キャップ
４  カード用紙
５  末端  
Ａ  ピックアップローラ
６  頂部
Ｘ  カード裁断機
７  給紙ローラ
Ｙ  裁断部
８  重送防止ローラ
９  第１の搬送ローラ
１０  第２の搬送ローラ
１１  カッター
１２ａ、１２ｂ  センサ
１３ａ、１３ｂ  センサ
１４  スリッター
１５  屑箱
１６  ステッピングモーター
１７  ステッピングモーター
１８  上刃軸
１９  上刃
２０  下刃
２１  周縁
２２  ナイフホルダー